(57)【要約】【課題】  洗車などに用いる水などの液体に対して的確に封止できる防水コネクタを提供する。【解決手段】  ケーブルが接続される端子金具が収容されるキャビティが設けられたコネクタハウジングを有する防水コネクタであって、キャビティと連通しケーブルが挿通されるケーブル挿通孔が形成された挿入面と、ケーブルが挿通される防水貫通孔を有し、ケーブル挿通孔に設けられる防水栓と、を備え、防水貫通孔は、防水貫通孔の長手方向に沿って互いに異なる位置に形成された第１の止水リップと第２の止水リップと有し、第１の止水リップ及び第２の止水リップは、防水貫通孔の内側に向って突出する少なくとも１つの突出部を有する。【選択図】  図２
2015122283.tif 000002
【特許請求の範囲】
【請求項１】
ケーブルが接続される端子金具が収容されるキャビティが設けられたコネクタハウジングを有する防水コネクタであって、
前記キャビティと連通しケーブルが挿通されるケーブル挿通孔が形成された挿入面と、
ケーブルが挿通される防水貫通孔を有し、前記ケーブル挿通孔に設けられる防水栓と、を備え、
前記防水貫通孔は、前記防水貫通孔の長手方向に沿って互いに異なる位置に形成された第１の止水リップと第２の止水リップと有し、
前記第１の止水リップ及び前記第２の止水リップは、前記防水貫通孔の内側に向って突出する少なくとも１つの突出部を有する防水コネクタ。
【請求項２】
前記端子金具は、ケーブルを押圧する押圧部を有し、
前記第１の止水リップ又は前記第２の止水リップの少なくとも一方は、前記押圧部に位置し、ケーブルとともに押圧される請求項１に記載の防水コネクタ。
【発明の詳細な説明】
【技術分野】
【０００１】
防水機能を向上させた防水コネクタに関する。
【背景技術】
【０００２】
車などの車両に搭載させる電装部品などには、電力を供給したり各種の信号を送受信するためのワイヤーハーネスが用いられる。ワイヤーハーネスは、電装部品などとの電気的接続するためにコネクタに接続されている。
【０００３】
車両は、ボンネットやドアなどのほか、車両の下部には、間隙が形成されている。間隙から雨などの液体が侵入してもワイヤーハーネスやコネクタには、液体が進入しないようにゴムなどを用いて予め防水されている（たとえば、特許文献１及び２など）。
【０００４】
また、車などの車両は、定期的に洗車する必要がある。洗車は、一般に水によって車体の汚れを除去する作業である。洗車では、汚れを除去すべく、車両に対して様々な角度から水をかける。このため、洗車においては、一定の角度方向から水が車両にかけられることは少ない。また、洗車に用いられる水として、短時間かつ的確に洗車できるようにすべく、近年では高圧の水が用いられる場合が多くなってきた。このため、車両に形成されている間隙に水が進入することも想定される。
【先行技術文献】
【特許文献】
【０００５】
【特許文献１】特許第３９０９４１７号
【特許文献２】特開２０１０−２７２４０５号公報
【発明の概要】
【発明が解決しようとする課題】
【０００６】
本発明は、上述の点に鑑みてなされたものであり、その目的とするところは、洗車などに用いる水などの液体に対して的確に封止できるコネクタを提供することにある。
【課題を解決するための手段】
【０００７】
本発明の実施態様は、
ケーブルが接続される端子金具が収容されるキャビティが設けられたコネクタハウジングを有する防水コネクタであって、
前記キャビティと連通しケーブルが挿通されるケーブル挿通孔が形成された挿入面と、
ケーブルが挿通される防水貫通孔を有し、前記ケーブル挿通孔に設けられる防水栓と、を備え、
前記防水貫通孔は、前記防水貫通孔の長手方向に沿って互いに異なる位置に形成された第１の止水リップと第２の止水リップと有し、
前記第１の止水リップ及び前記第２の止水リップは、前記防水貫通孔の内側に向って突出する少なくとも１つの突出部を有する防水コネクタである。
【０００８】
第１の止水リップ及び第２の止水リップを有するので、防水貫通孔に水などの液体が流入した場合でも遮ることができる。
【発明の効果】
【０００９】
洗車などに用いる水などの液体に対して的確に封止できる。
【図面の簡単な説明】
【００１０】
【図１】本実施の形態による防水コネクタの概観を示す斜視図である。
【図２】本実施の形態による防水コネクタと防水栓との断面を示す断面図である。
【図３】本実施の形態による防水コネクタと防水栓と端子金具との断面を示す断面図である。
【図４】本実施の形態による防水栓の側面を示す側面図である。
【図５】本実施の形態による防水栓の断面を示す断面図である。
【図６】水流が止水壁によって分散される様子を示す断面図である。
【図７】防水栓と端子金具との側面を示す側面図（ａ）と、防水栓と端子金具との断面を示す断面図（ｂ）とである。
【発明を実施するための形態】
【００１１】
本発明の実施態様は、
ケーブル（たとえば、ケーブル４００）が接続される端子金具（たとえば、端子金具３００）が収容されるキャビティ（たとえば、キャビティ１１０）が設けられたコネクタハウジング（たとえば、コネクタハウジング１００）を有する防水コネクタ（たとえば、防水コネクタ１０）であって、
前記キャビティと連通しケーブルが挿通されるケーブル挿通孔（たとえば、挿通孔１０２）が形成された挿入面（たとえば、端子金具挿入面１０８）と、
前記挿入面に向い合って設けられた保護壁（たとえば、止水壁１０４）と、を備える防水コネクタである。
【００１２】
保護壁が、挿入面に向い合って設けられているので、保護壁によって水流を遮ることができる。
【００１３】
本発明の実施態様は、さらに、
ケーブルが挿通される防水貫通孔（たとえば、貫通孔２０２）を有し、前記ケーブル挿通孔に設けられる防水栓（たとえば、防水栓２００）を、さらに備え、
前記防水栓は、前記ケーブル挿通孔から突出する突出端部（たとえば、防水板２１０）を有し、
前記保護壁は、ケーブルが挿通される保護貫通孔（たとえば、挿通孔１０６）を有し、
前記保護貫通孔が、前記突出端部と向かい合う防水コネクタである。
【００１４】
ケーブルが挿通された状態で、保護壁によって水流を弱めることができる。
【００１５】
本発明の実施態様は、さらに、
前記保護貫通孔の大きさと前記突出端部の大きさが略同じである防水コネクタである。
【００１６】
前記保護貫通孔の大きさと前記突出端部の大きさが略同じであるので、保護貫通孔と突出端部との間に間隙が形成されず、水流が防水栓に伝わることを防止できる。
【００１７】
本発明の実施態様は、さらに、
前記突出端部は、前記ケーブル挿通孔よりも大きい鍔部（たとえば、防水板２１０）を有し、
前記鍔部は、前記ケーブル挿通孔を覆う防水コネクタである。
【００１８】
鍔部によってケーブル挿通孔が覆われるので、水流がケーブル挿通孔に流れ込むことを防止できる。
【００１９】
本発明の実施態様は、さらに、
前記保護貫通孔は、略円形の断面を有し、
前記鍔部は、略円形の断面を有し、
前記保護貫通孔の直径は、前記鍔部の直径と略同じ又は前記鍔部の直径よりも小さい防水コネクタである。
【００２０】
保護貫通孔と突出端部との間に間隙が形成されず、水流が防水栓に伝わることを防止できる。
【００２１】
また、本発明の実施態様は、
ケーブル（たとえば、ケーブル４００）が接続される端子金具（たとえば、端子金具３００）が収容されるキャビティ（たとえば、キャビティ１１０）が設けられたコネクタハウジング（たとえば、コネクタハウジング１００）を有する防水コネクタ（たとえば、防水コネクタ１０）であって、
前記キャビティと連通しケーブルが挿通されるケーブル挿通孔（たとえば、挿通孔１０２）が形成された挿入面（たとえば、端子金具挿入面１０８）と、
ケーブルが挿通される防水貫通孔（たとえば、貫通孔２０２）を有し、前記ケーブル挿通孔に設けられる防水栓（たとえば、防水栓２００）と、を備え、
前記防水貫通孔は、前記防水貫通孔の長手方向に沿って互いに異なる位置に形成された第１の止水リップ（たとえば、内側止水リップ２７０）と第２の止水リップ（たとえば、内側止水リップ２８０）と有し、
前記第１の止水リップ及び前記第２の止水リップは、前記防水貫通孔の内側に向って突出する少なくとも１つの突出部（たとえば、第１の突出部２７０ａや第２の突出部２７０ｂや、第１の突出部２８０ａや第２の突出部２８０ｂ）を有する防水コネクタである。
【００２２】
第１の止水リップ及び第２の止水リップを有するので、防水貫通孔に水などの液体が流入した場合でも遮ることができる。
【００２３】
本発明の実施態様は、さらに、
前記端子金具は、ケーブルを押圧する押圧部（たとえば、かしめ片３１２）を有し、
前記第１の止水リップ又は前記第２の止水リップの少なくとも一方は、前記押圧部に位置し、ケーブルとともに押圧される防水コネクタである。
【００２４】
第１の止水リップ又は前記第２の止水リップの少なくとも一方は、押圧部によって押圧されるので、封止機能を向上させることができる。
【００２５】
以下に、実施の形態について図面に基づいて説明する。
【００２６】
＜＜＜防水コネクタ１０＞＞＞
図１は、本実施の形態の防水コネクタ１０の概観を示す斜視図である。図２は、防水コネクタ１０のコネクタハウジング１００の断面を示す断面図である。
【００２７】
防水コネクタ１０は、主に、コネクタハウジング１００と、防水栓２００と、端子金具３００とを有する。
【００２８】
＜＜コネクタハウジング１００＞＞
コネクタハウジング１００の内部には、端子金具３００及びケーブル４００（図３及び図７参照）を収容するためのキャビティ１１０が形成されている。端子金具３００は、金属によって成形され、導電性を有し、長尺な形状を有する。キャビティ１１０の各々は、収容される端子金具３００の形状や大きさに応じて形成されており、長尺な形状を有する。
【００２９】
＜＜止水壁１０４＞＞
コネクタハウジング１００には、端子金具挿入面１０８が形成されている。また、コネクタハウジング１００は、端子金具３００及びケーブル４００を挿通するための挿通孔１０２を有する。挿通孔１０２は略円形の貫通孔の形状を有する。挿通孔１０２は、コネクタハウジング１００の内部において、キャビティ１１０と連通する。端子金具３００及びケーブル４００は、端子金具挿入面１０８から挿通孔１０２を介してキャビティ１１０に向かって挿通される。
【００３０】
コネクタハウジング１００の端子金具挿入面１０８の前方には、止水壁１０４が形成されている。止水壁１０４は、支持部１１２によってコネクタハウジング１００に連結されている。止水壁１０４は、支持部１１２によって端子金具挿入面１０８から離隔した位置に配置される。止水壁１０４には、挿通孔１０６が形成されている。挿通孔１０６は略円形の貫通孔の形状を有する。挿通孔１０６は、挿通孔１０２の開口部１２０と向かい合うように形成されている。挿通孔１０２の前方に、所定の距離だけ離隔して挿通孔１０２と略同心状に挿通孔１０６が位置する。
【００３１】
上述したように、止水壁１０４は、支持部１１２によって端子金具挿入面１０８から離隔した位置に配置される。すなわち、止水壁１０４とコネクタハウジング１００（端子金具挿入面１０８）との間には、間隙が形成される。間隙を形成したことによって、止水壁１０４の裏側（コネクタハウジング１００と対向する側）に水が付着した場合であっても、間隙によって水を案内してコネクタハウジング１００から排出することができ、コネクタハウジング１００の内部に水が進入することを未然に防止できる。
【００３２】
上述した例では、止水壁１０４は、支持部１１２によってコネクタハウジング１００に一体的に連結されて形成されている。なお、止水壁１０４は、コネクタハウジング１００に着脱可能に設けることもできる。たとえば、コネクタハウジング１００に挿入孔を設け、止水壁１０４に突出片を設けて、止水壁１０４の突出片をコネクタハウジング１００の挿入孔に掛止させて、止水壁１０４をコネクタハウジング１００に着脱可能に設けることができる。このようにすることで、各種の太さのケーブルに応じて挿通孔１０６を形成した各種の止水壁１０４を予め準備しておき、ケーブルに応じて止水壁１０４を適宜選択してコネクタハウジング１００に取り付けることができる。
【００３３】
止水壁１０４の正面の大きさや形状は、適宜定めることができる。止水壁１０４は、端子金具挿入面１０８と略同一にするのが好ましい。端子金具挿入面１０８の前面を止水壁１０４によって覆うことができ、水流を弱めることができる。なお、止水壁１０４の正面の大きさや形状は、コネクタハウジング１００が取り付けられる場所や用途に応じて適宜定めればよい。
【００３４】
＜＜防水栓２００＞＞
防水栓２００は、可撓性かつ防水性を有する材料、たとえば、ゴムなどによって形成されている。防水栓２００は、好ましくは、弾性変形可能であるものが好ましい。
【００３５】
防水栓２００は、長尺で略円筒形の形状を有する。防水栓２００の長手方向に沿って、略中心部には貫通孔２０２が形成されている。防水栓２００は、防水板２１０と同径部２２０と、外側止水リップ２３０、２４０、２５０と、細径部２６０とを有する。これらは、略同心状に形成されている。さらに、防水栓２００の貫通孔２０２（後述）には、内側止水リップ２７０及び２８０が形成されている。
【００３６】
＜貫通孔２０２＞
防水栓２００の略中心部には、長手方向に沿って貫通孔２０２が形成されている。貫通孔２０２には、端子金具３００とケーブル４００との双方が挿通される。貫通孔２０２の直径は、端子金具３００やケーブル４００などの直径よりも小さく形成されている。端子金具３００やケーブル４００が貫通孔２０２に挿通されたときには、貫通孔２０２は、端子金具３００やケーブル４００に若干広がり、貫通孔２０２の内壁は、端子金具３００やケーブル４００と密着する。これにより、端子金具３００やケーブル４００を伝って、コネクタハウジング１００の内部に水が進入することを防止することができる。
【００３７】
＜防水板２１０＞
防水栓２００の長手方向の最端部には、防水板２１０が形成されている。防水板２１０は、厚さの薄い略円筒状の形状を有する。すなわち、防水板２１０は、いわゆる鍔状の形状を有する。防水板２１０の略中心部には、上述した貫通孔２０２が形成されている。したがって、防水板２１０の内径は、貫通孔２０２の直径と同じである。
【００３８】
防水板２１０の外径は、挿通孔１０２の内径よりも大きい。したがって、防水栓２００がコネクタハウジング１００の内側に牽引されたような場合であっても、防水板２１０は、コネクタハウジング１００の挿通孔１０２の開口部１２０によって係止されることができ、防水栓２００の全体が、挿通孔１０２に挿入されてしまうことを防止することができ、防水栓２００を一定の位置に保持させることができる。
【００３９】
また、防水板２１０の外径は、挿通孔１０２の内径よりも大きいので、防水板２１０によってコネクタハウジング１００の挿通孔１０２の開口部１２０を覆うことができる。したがって、高圧の水流が防水栓２００に当たるようなことがあっても、挿通孔１０２からコネクタハウジング１００の内部に水が進入することを防止することができる。
【００４０】
＜同径部２２０＞
同径部２２０は、防水栓２００の長手方向に沿って略同じ直径で形成されている。同径部２２０の略中心部には、上述した貫通孔２０２が形成されている。したがって、同径部２２０の内径は、貫通孔２０２の直径と同じである。同径部２２０の外径は、挿通孔１０２の内径よりも若干小さい。このようにすることで、防水栓２００を円滑に挿通孔１０２に挿入することができる。
【００４１】
＜外側止水リップ２３０、２４０、２５０＞
防水栓２００の長手方向に沿って互いに異なる３つの位置に、外側止水リップ２３０、２４０及び２５０が形成されている。外側止水リップ２３０、２４０及び２５０の略中心部には、上述した貫通孔２０２が形成されている。したがって、外側止水リップ２３０、２４０及び２５０の内径は、貫通孔２０２の直径と同じである。
【００４２】
外側止水リップ２３０、２４０及び２５０は、厚さの薄い略円筒状の形状を有する。なお、外側止水リップ２３０及び２４０は同じ形状を有する。
【００４３】
外側止水リップ２３０は、外側に向かって徐々に細くなるように傾斜する第１の傾斜部２３２と、同径に形成された同径部２３４と、内側に向かって徐々に細くなるように傾斜する第２の傾斜部２３６とを有する。なお、本明細書において、外側及び内側とは、防水栓２００がコネクタハウジング１００に取り付けられたときの向きをいう。外側とはコネクタハウジング１００の外側に向かう向きをいい、内側とはコネクタハウジング１００の内側に向かう向きをいう。
【００４４】
第１の傾斜部２３２の傾きは、第２の傾斜部２３６の傾きよりも大きい。このようにすることで、防水栓２００をコネクタハウジング１００に挿入させやすく、かつ、抜けにくくすることができる。また、同径部２３４の直径は、挿通孔１０２の内径よりも大きい。したがって、防水栓２００をコネクタハウジング１００に挿入させたときには、外側止水リップ２３０は、変形することによって挿通孔１０２の内側に密着することができる。これにより、防水栓２００を一定の位置に保持させることができるとともに、挿通孔１０２からコネクタハウジング１００の内部に水が進入することを防止することができる。
【００４５】
外側止水リップ２４０も、外側に向かって徐々に細くなるように傾斜する第１の傾斜部２４２と、同径に形成された同径部２４４と、内側に向かって徐々に細くなるように傾斜する第２の傾斜部２４６とを有する。
【００４６】
第１の傾斜部２４２の傾きは、第２の傾斜部２４６の傾きよりも大きい。このようにすることで、防水栓２００をコネクタハウジング１００に挿入させやすく、かつ、抜けにくくすることができる。また、同径部２４４の直径は、挿通孔１０２の内径よりも大きい。したがって、防水栓２００をコネクタハウジング１００に挿入させたときには、外側止水リップ２３０は、若干変形して挿通孔１０２の内側に密着することができる。これにより、防水栓２００を一定の位置に保持させることができるとともに、挿通孔１０２からコネクタハウジング１００の内部に水が進入することを防止することができる。
【００４７】
外側止水リップ２５０は、同径に形成された同径部２５４のみで形成されている。このようにすることで、防水栓２００を一定の位置に保持させることができる。
【００４８】
さらに、同径部２５４の直径は、挿通孔１０２の内径よりも大きい。したがって、防水栓２００をコネクタハウジング１００に挿入させたときには、外側止水リップ２３０は、変形することによって挿通孔１０２の内側に密着することができる。これにより、防水栓２００を一定の位置により保持させることができるとともに、挿通孔１０２からコネクタハウジング１００の内部に水が進入することを防止することができる。
【００４９】
このように、本実施の形態の防水栓２００は、外側止水リップ２３０、２４０、２５０を有することで、防水栓２００をコネクタハウジング１００に的確に保持させるとともに、防水栓２００の外面を伝ってコネクタハウジング１００の内部に水が進入することを的確に防止することができる。
【００５０】
また、同径部２２０と外側止水リップ２３０との間（谷部）、外側止水リップ２３０と外側止水リップ２４０との間（谷部）、外側止水リップ２４０と外側止水リップ２５０との間（谷部）の外径は、同径部２２０、外側止水リップ２３０、２４０、２５０の外径よりも小さい。このようにすることで、外側止水リップ２３０、２４０、２５０が変形できる領域を大きくすることができ、外側止水リップ２３０、２４０、２５０を挿通孔１０２により密着させやすくできる。
【００５１】
＜細径部２６０＞
細径部２６０は、防水栓２００の内側で細く形成されている。具体的には、上述した同径部２２０や、外側止水リップ２３０、２４０及び２５０よりも細く形成されている。図７に示すように、細径部２６０には、端子金具３００のかしめ片３１２が、かしめて取り付けられる。すなわち、細径部２６０は、かしめ片３１２を取り付けるために、同径部２２０や、外側止水リップ２３０、２４０及び２５０よりも細く形成されている。
【００５２】
＜内側止水リップ２７０及び２８０＞
防水栓２００の貫通孔２０２には、長手方向に沿って互いに異なる位置に内側止水リップ２７０及び２８０が形成されている。
【００５３】
内側止水リップ２７０は、内側止水リップ２８０よりも内側に形成されている。内側止水リップ２７０は、細径部２６０に対応する防水栓２００の内側に形成されている。上述したように、細径部２６０には、端子金具３００のかしめ片３１２が取り付けられる。すなわち、内側止水リップ２７０は、端子金具３００のかしめ片３１２（図７参照）と重なる位置に形成されている。かしめ片３１２をかしめることによって、端子金具３００にケーブル４００との電気的接続を良好にすることができるとともに、内側止水リップ２８０よりも内側止水リップ２７０をケーブル４００にさらに密着させることができる。内側止水リップ２７０とケーブル４００との接触面積を大きくしたり、内側止水リップ２７０がケーブル４００を押圧する力を大きくしたりすることができる。この密着により、防水栓２００の内面を伝ってコネクタハウジング１００の内部に水が進入することをさらに防止することができる。
【００５４】
内側止水リップ２７０は、第１の突出部２７０ａと第２の突出部２７０ｂとを有する。第１の突出部２７０ａと第２の突出部２７０ｂとは、貫通孔２０２の長手方向に沿って互いに離隔した位置に形成されている。第１の突出部２７０ａ及び第２の突出部２７０ｂは、同じ形状を有する。
【００５５】
図７に示すように、内側止水リップ２７０は、端子金具３００のかしめ片３１２に位置付けられる。かしめ片３１２の幅は、内側止水リップ２７０の全体（第１の突出部２７０ａ及び第２の突出部２７０ｂ）よりも長い。すなわち、かしめ片３１２は、内側止水リップ２７０の全体を覆うように形成されている。このため、かしめ片３１２によって、第１の突出部２７０ａ及び第２の突出部２７０ｂの２つの双方を押圧することができる。このように、単一のかしめ片３１２をかしめることによって、第１の突出部２７０ａ及び第２の突出部２７０ｂの２つの双方をケーブル４００に押圧することができる。このように、かしめ片３１２によって第１の突出部２７０ａ及び第２の突出部２７０ｂを押圧するので、かしめ片３１２のかしめ力によって、ケーブル４００への密着の程度を適宜調整することができる。
【００５６】
図７に示すように、第１の突出部２７０ａ及び第２の突出部２７０ｂの双方は、３つの外側止水リップ２３０、２４０、２５０よりも内側に形成されている。３つの外側止水リップ２３０、２４０、２５０は、かしめ片３１２と干渉しない位置に形成されている。これに対して、内側止水リップ２７０（第１の突出部２７０ａ及び第２の突出部２７０ｂ）は、かしめ片３１２と重なる位置に形成され、かしめ片３１２の押圧力を積極的に利用して、ケーブル４００を伝う液体をせき止めることができる。
【００５７】
第１の突出部２７０ａは、外側に向かって徐々に細くなるように傾斜する第１の傾斜部２７２と、同径に形成された同径部２７４と、内側に向かって徐々に細くなるように傾斜する第２の傾斜部２７６とを有する。第１の傾斜部２７２の傾きは、第２の傾斜部２７６の傾きと同じである。貫通孔２０２の長手方向について、同径部２７４の長さは、第１の傾斜部２７２及び第２の傾斜部２７６の貫通孔２０２の長さよりも長い。したがって、第１の突出部２７０ａは、同径部２７４の全体が貫通孔２０２の長手方向に延びるように変形する。このように変形するために、第１の突出部２７０ａとケーブル４００との接触面積を大きすることができ、ケーブル４００との密着性を高めることができる。また、貫通孔２０２におけるケーブル４００の保持力も高めることができる。
【００５８】
また、同径部２７４の内径は、ケーブル４００の外形よりも細いのが好ましい。内側止水リップ２７０をケーブル４００に押圧させることで、内側止水リップ２７０を変形させてケーブル４００との接触面積を増やすことによって、内側止水リップ２７０をケーブル４００により密着させることができる。
【００５９】
ケーブル４００は、一般に、ビニールなどの被覆体と、銅などの金属からなる導電線４１０とを有する。導電線４１０は、被覆体によって被覆されて、絶縁状態が保たれている。図７に示すように、端子金具３００の電線接続部３０４においては、導電線４１０は、露出しており、電線接続部３０４との電気的接続が形成される。一方、かしめ片３１２の箇所においては、導電線４１０は、被覆体によって被覆されている。したがって、かしめ片３１２をかしめることによって、第１の突出部２７０ａ及び第２の突出部２７０ｂは、ケーブル４００のビニールなどの被覆体と押圧される。このため、第１の突出部２７０ａ及び第２の突出部２７０ｂと被覆体との双方が、押圧によって互いに変形し、接触面積を増やすことができ、密着性を高めることができる。
【００６０】
第２の突出部２７０ｂも、外側に向かって徐々に細くなるように傾斜する第１の傾斜部２７２と、同径に形成された同径部２７４と、内側に向かって徐々に細くなるように傾斜する第２の傾斜部２７６とを有する。
【００６１】
上述したように、内側止水リップ２７０は、同じ形状を有する第１の突出部２７０ａと第２の突出部２７０ｂとを有する。貫通孔２０２には、ケーブル４００を挿通させる。このため、同径部２７４の内径を小さくできない場合もある。また、貫通孔２０２に対して細いケーブル４００を挿通させる必要がある場合もある。このため、第１の突出部２７０ａと第２の突出部２７０ｂとの２つを内側止水リップ２７０として設けたことにより、内側止水リップ２７０のケーブル４００への密着の度合い、たとえば接触面積や内側止水リップ２７０がケーブル４００を押圧する力などを向上させたり維持したりすることができる。
【００６２】
内側止水リップ２８０は、内側止水リップ２７０よりも外側に形成されている。内側止水リップ２８０は、内側止水リップ２７０と同様の形状を有する。したがって、内側止水リップ２８０も、第１の突出部２８０ａと第２の突出部２８０ｂとを有する。第１の突出部２８０ａと第２の突出部２８０ｂとは、貫通孔２０２の長手方向に沿って互いに離隔した位置に形成されている。
【００６３】
第１の突出部２８０ａ及び第２の突出部２８０ｂは、外側に向かって徐々に細くなるように傾斜する第１の傾斜部２８２と、同径に形成された同径部２８４と、内側に向かって徐々に細くなるように傾斜する第２の傾斜部２８６とを有する。第１の傾斜部２８２は、第１の傾斜部２７２と同じ形状であり、同径部２８４は、同径部２７４と同じ形状であり、第２の傾斜部２８６は、第２の傾斜部２７６と同じ形状である。
【００６４】
図７に示すように、内側止水リップ２８０の少なくとも一部は、３つの外側止水リップ２３０、２４０、２５０の一部と干渉する位置に形成されている。具体的には、第１の突出部２８０ａは、１つの外側止水リップ２３０と重なる位置に形成されている。このため、防水栓２００を挿通孔１０２に挿入することで、外側止水リップ２３０が挿通孔１０２によって押圧されると、外側止水リップ２３０は、第１の突出部２８０ａを押圧する。これにより、第１の突出部２８０ａは、ケーブル４００に押圧する。このようにして、第１の突出部２８０ａを変形させてケーブル４００との接触面積を増やすことによって、第１の突出部２８０ａをケーブル４００により密着させることができる。外側止水リップ２３０は、上述したかしめ片３１２と同様に機能する。
【００６５】
なお、上述した例では、第１の突出部２８０ａのみが、１つの外側止水リップ２３０と重なる位置に形成されている場合を示したが、第１の突出部２８０ａ及び第２の突出部２８０ｂの双方が、外側止水リップ２３０、２４０、２５０のいずれかと干渉するようにしてもよい。
【００６６】
また、図７に示すように、内側止水リップ２８０の少なくとも一部は、防水栓２００の同径部２２０と干渉する位置に形成されている。具体的には、第２の突出部２８０ｂは、同径部２２０と重なる位置に形成されている。このため、ケーブル４００が貫通孔２０２に挿入され、防水栓２００が挿通孔１０２に挿入されることで、第２の突出部２８０ｂは、ケーブル４００に押圧され、押圧された第２の突出部２８０ｂは、同径部２２０を広げる。広げられた同径部２２０は、挿通孔１０２に押圧される。このため、第２の突出部２８０ｂは、変形してケーブル４００との接触面積を増やすことによって、第１の突出部２８０ａをケーブル４００により密着させることができる。さらに、同径部２２０が広がることによって、防水栓２００は挿通孔１０２に密着し、防水栓２００を挿通孔１０２に的確に保持することができる。
【００６７】
なお、上述した例では、第２の突出部２８０ｂのみが、同径部２２０と重なる位置に形成されている場合を示したが、第１の突出部２８０ａ及び第２の突出部２８０ｂの双方が、同径部２２０と干渉するようにしてもよい。
【００６８】
このように、本実施の形態では、第１の突出部２８０ａは、１つの外側止水リップ２３０と重なる位置に形成され、第２の突出部２８０ｂは、同径部２２０と重なる位置に形成されている。このように、第１の突出部２８０ａと第２の突出部２８０ｂは、防水栓２００の互いに異なる部位と重なるように形成されている。このようにすることで、第１の突出部２８０ａと第２の突出部２８０ｂによる密着性を調整することができ、所望する封止性を達成することができる。
【００６９】
内側止水リップ２７０の第１の突出部２７０ａ及び第２の突出部２７０ｂと、内側止水リップ２８０の第１の突出部２８０ａ及び第２の突出部２８０ｂとによって、４重にケーブル４００を封止することができる。これらの４重の封止によって、防水栓２００の内面を伝ってコネクタハウジング１００の内部に水が進入することを的確に防止することができる。
【００７０】
内側止水リップ２７０は、２つの第１の突出部２７０ａ及び第２の突出部２７０ｂからなり、内側止水リップ２８０は、２つの第１の突出部２８０ａ及び第２の突出部２８０ｂからなる場合を示したが、この数に限定されることはない。たとえば、外側止水リップ２３０、２４０、２５０の各々と干渉するように、内側止水リップ２８０を３つの突出部からなるようにすることができる。また、内側止水リップ２７０を単一の突出部からなるようにすることができる。内側止水リップ２７０（１つ以上の突出部）の長さや数は、かしめ片３１２の形状や大きさや数に合わせて定めることができる。
【００７１】
また、２つの第１の突出部２７０ａ及び第２の突出部２７０ｂと、第１の突出部２８０ａ及び第２の突出部２８０ｂとは同じ形状を有する場合を示したが、これに限定されることはない。たとえば、第１の突出部２７０ａ、第２の突出部２７０ｂ、第１の突出部２８０ａ及び第２の突出部２８０ｂの内径が互いに異なるように形成することができる。たとえば、少なくとも１つの突出部の内径が他よりも小さくすることができる。このようにすることで、ケーブル４００に対する密着性をより高めることができ、より的確に封止することができる。
【００７２】
また、外側止水リップ２３０、２４０、２５０と同様に、一部の傾斜部の傾斜が異なるように形成することができる。ケーブル４００に対する密着性をより高めることができるとともに、防水栓２００に対してケーブル４００が長手方向に沿って変位しにくくでき、ケーブル４００の保持力を高めることができる。
【００７３】
さらに、２つの第１の突出部２７０ａ及び第２の突出部２７０ｂの間の距離と、２つの第１の突出部２８０ａ及び第２の突出部２８０ｂの間の距離は略等しく、その距離が、第２の突出部２７０ｂと第１の突出部２８０ａとの間の距離よりも短い場合を示したが、これに限定されることはない。
【００７４】
上述した内側止水リップ２７０及び内側止水リップ２８０は、変形することによって、ケーブル４００との接触面積を広げて密着性を高めることで、ケーブル４００や貫通孔２０２を伝う液体が流入することを防止できればよい。外側止水リップ２３０、２４０、２５０は、変形することによって、挿通孔１０２との接触面積を広げて密着性を高めることで、防水栓２００や挿通孔１０２を伝う液体が流入することを防止できればよい。
【００７５】
＜＜止水壁１０４と防水栓２００との関係＞＞
上述したように、止水壁１０４には、略円形の貫通孔の形状を有する挿通孔１０６が形成されている。防水栓２００は、厚さの薄い略円筒状の形状の防水板２１０を有する。止水壁１０４の挿通孔１０６の内径と防水板２１０の外径とは、略同じである。なお、止水壁１０４の挿通孔１０６を介して、防水栓２００、端子金具３００及びケーブル４００を挿通して、キャビティ１１０に挿入できればよい。したがって、止水壁１０４の挿通孔１０６の内径が防水板２１０の外径よりも小さいのが好ましい。
【００７６】
止水壁１０４の挿通孔１０６の内径と防水板２１０の外径との関係が、いずれの場合であっても、止水壁１０４が防水板２１０の前方に近接して略同心状に位置すればよい。より好ましくは、止水壁１０４が防水板２１０に当接して略同心状に位置すればよい。より好ましくは、防水板２１０の外周の全体を、止水壁１０４の挿通孔１０６によって覆って、止水壁１０４が防水板２１０と略同心状に位置すればよい。
【００７７】
このようにすることで、図６に示すように、端子金具挿入面１０８に向かう高圧の水流を弱めることができ、コネクタハウジング１００の内部に洗浄用の水などが進入することを防止することができる。上述したように、防水栓２００には、外側止水リップ２３０、２４０、２５０や、内側止水リップ２７０及び２８０などが形成されている。このため、止水壁１０４によって洗浄用の水などを完全に遮断できずに、端子金具挿入面１０８に水などが付着しても、外側止水リップ２３０、２４０、２５０や、内側止水リップ２７０及び２８０などによって十分に進入を防止することができる。
【００７８】
このように、止水壁１０４は、端子金具挿入面１０８に向かう水流の量を少なくしたり、水流の勢いを弱めることができればよい。具体的には、止水壁１０４によって水流を反射させたり周囲に分散させたりすることができればよい。
【００７９】
防水栓２００の防水板２１０は、コネクタハウジング１００の端子金具挿入面１０８と、止水壁１０４との間に位置する。止水壁１０４は、支持部１１２によって連結されている。支持部１１２は、防水板２１０を配置するためのスペーサとして機能する。言い換えれば、コネクタハウジング１００の端子金具挿入面１０８と、止水壁１０４との間に形成される間隙に防水板２１０が配置される。したがって、支持部１１２の厚さが防水板２１０よりも若干大きくなるようにして、端子金具挿入面１０８と防水板２１０とを接触させ、防水板２１０と止水壁１０４とを接触させることで水が浸入しにくくするのが好ましい。
【００８０】
上述したように、防水板２１０は挿通孔１０２の開口部１２０を覆う。このように、防水板２１０によって、挿通孔１０２の開口部１２０がコネクタハウジング１００の外部に直接開放されることを防止することができる。この防水板２１０によって、洗浄用の水などが挿通孔１０２の開口部１２０に直接進入することを防止することができる。
【００８１】
＜＜端子金具３００＞＞
端子金具３００は、正面（前方）から見て全体が縦長な略四角形（略矩形状、略角形）を有し、導電性を有する金属によって構成される。端子金具３００は、図７に示すように、長尺な形状を有し、長手方向に沿って細長い略角筒状をなす本体部３０２と、本体部３０２に接続される電線接続部３０４とからなる。
【００８２】
本体部３０２の上側には、スタビライザ３０６が設けられている。スタビライザ３０６は、上方へ突出する板片状を有する。スタビライザ３０６が設置された外壁における前端部には、ランス１１４（図３参照）によって係止されるランス係止部３０８が設けられている。本体部３０２の後端部には、リテーナ１１６（図３参照）によってリテーナ係止部３１０が設けられている。電線接続部３０４には、かしめ片３１２が設けられている。
【符号の説明】
【００８３】
１０  防水コネクタ
１００  コネクタハウジング
１０４  止水壁
２００  防水栓
２１０  防水板
２７０、２８０  内側止水リップ
３００  端子金具
４００  ケーブル
【図２】
2015122283.tif 000003
【図３】
2015122283.tif 000004
【図４】
2015122283.tif 000005
【図６】
2015122283.tif 000006
【図１】
2015122283.tif 000007
【図５】
2015122283.tif 000008
【図７】
2015122283.tif 000009
【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
ケーブルが接続される端子金具が収容されるキャビティが設けられたコネクタハウジングを有する防水コネクタであって、
前記キャビティと連通しケーブルが挿通されるケーブル挿通孔が形成された挿入面と、
ケーブルが挿通される防水貫通孔を有し、前記ケーブル挿通孔に設けられる防水栓と、
を備え、
前記防水栓は、前記ケーブル挿通孔から突出し、前記防水栓の端部を形成する鍔部を有し、
前記鍔部が前記挿入面に保持可能に、前記鍔部の直径が前記ケーブル挿通孔の直径より大きく形成され、
前記防水貫通孔は、前記防水貫通孔の長手方向に沿って互いに異なる位置に形成された第１の止水リップと第２の止水リップとを有し、
前記第１の止水リップ及び前記第２の止水リップは、前記防水貫通孔の内側に向って突出する少なくとも１つの突出部を有し、
前記防水栓は、前記鍔部と前記第１の止水リップとの間に前記防水栓に沿って形成された同径部を有し、
前記第２の止水リップの突出部は、前記同径部と重なる位置に形成される防水コネクタ。
【請求項２】
前記第１の止水リップは、前記防水貫通孔の長手方向に沿って第１の間隔をおいて形成された複数の突出部を有し、
前記第２の止水リップは、前記防水貫通孔の長手方向に沿って前記第１の間隔をおいて形成された複数の突出部を有し、
前記第１の止水リップの前記複数の突出部と、前記第２の止水リップの前記複数の突出部とのうちの最も近くに形成された突出部の間隔が、前記第１の間隔よりも長い請求項１に記載の防水コネクタ。
【手続補正２】
【補正対象書類名】明細書
【補正対象項目名】００２１
【補正方法】変更
【補正の内容】
【００２１】
また、本発明の実施態様は、
ケーブル（たとえば、ケーブル４００）が接続される端子金具（たとえば、端子金具３００）が収容されるキャビティ（たとえば、キャビティ１１０）が設けられたコネクタハウジング（たとえば、コネクタハウジング１００）を有する防水コネクタ（たとえば、防水コネクタ１０）であって、
前記キャビティと連通しケーブルが挿通されるケーブル挿通孔（たとえば、挿通孔１０２）が形成された挿入面（たとえば、端子金具挿入面１０８）と、
ケーブルが挿通される防水貫通孔（たとえば、貫通孔２０２）を有し、前記ケーブル挿通孔に設けられる防水栓（たとえば、防水栓２００）と、を備え、
前記防水栓は、前記ケーブル挿通孔から突出し、前記防水栓の端部を形成する鍔部（たとえば、防水板２１０）を有し、
前記鍔部が前記挿入面に保持可能に、前記鍔部の直径が前記ケーブル挿通孔の直径より大きく形成され、
前記防水貫通孔は、前記防水貫通孔の長手方向に沿って互いに異なる位置に形成された第１の止水リップ（たとえば、内側止水リップ２７０）と第２の止水リップ（たとえば、内側止水リップ２８０）とを有し、
前記第１の止水リップ及び前記第２の止水リップは、前記防水貫通孔の内側に向って突出する少なくとも１つの突出部（たとえば、第１の突出部２７０ａや第２の突出部２７０ｂや、第１の突出部２８０ａや第２の突出部２８０ｂ）を有し、
前記防水栓は、前記鍔部と前記第１の止水リップとの間に前記防水栓に沿って形成された同径部（たとえば、同径部２２０）を有し、
前記第２の止水リップの突出部は、前記同径部と重なる位置に形成される。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
本発明の実施態様は、さらに、
前記第１の止水リップは、前記防水貫通孔の長手方向に沿って第１の間隔をおいて形成された複数の突出部（たとえば、第１の突出部２７０ａや第２の突出部２７０ｂ）を有し、
前記第２の止水リップは、前記防水貫通孔の長手方向に沿って前記第１の間隔をおいて形成された複数の突出部（たとえば、第１の突出部２８０ａや第２の突出部２８０ｂ）を有し、
前記第１の止水リップの前記複数の突出部と、前記第２の止水リップの前記複数の突出部とのうちの最も近くに形成された突出部の間隔（たとえば、第２の突出部２７０ｂと第１の突出部２８０ａとの間隔）が、前記第１の間隔よりも長い。
【手続補正５】
【補正対象書類名】明細書
【補正対象項目名】００２４
【補正方法】削除
【補正の内容】